(57)【要約】      （修正有）【課題】少人数世帯向けの一戸建て住宅を安価に提供する。【解決手段】住宅１０は、床面が長方形であり、玄関ドア２１と、玄関ホール３４と、トイレ３３と、シューズインクローゼット３２とを含み、壁芯面積が９．７平方メートル以上、１０平方メートル以下である規格化された玄関ユニット３１と、床面の寸法が玄関ユニットと同じ寸法である台所ユニット５１と、床面が長方形である浴室ユニット４１と、床面が長方形である１個以上の居室６１、６２とが廊下を介さずに接続され、全体の壁芯面積が玄関ユニットの壁芯面積の５倍から７倍の平屋建てである。ユニットの規格化により設計および施工のコストを低減できる。【選択図】図６
0003228639.tif 000002
【実用新案登録請求の範囲】
【請求項１】
床面が長方形であり、玄関ドアと、玄関ホールと、トイレと、シューズインクローゼットとを含み、壁芯面積が９．７平方メートル以上、１０平方メートル以下である規格化された玄関ユニットと、
床面の寸法が前記玄関ユニットと同じ寸法である台所ユニットと、
床面が長方形である浴室ユニットと、
床面が長方形である１個以上の居室とが廊下を介さずに接続されており、
全体の壁芯面積が前記玄関ユニットの壁芯面積の５倍から７倍である平屋建ての
住宅。
【請求項２】
前記玄関ユニットは床面の縦横比が４：３であり、
前記浴室ユニットは、床面の縦横比が１：２であり、長辺の長さが前記玄関ユニットの長辺の長さと同一である
請求項１に記載の住宅。
【請求項３】
前記居室は、長辺または短辺の長さが前記玄関ユニットの長辺の長さと同一である
請求項１または請求項２に記載の住宅。
【請求項４】
前記居室の南側に配置されたウッドデッキと、
前記ウッドデッキの東側および西側に設けられており、前記ウッドデッキの床面から庇までの高さを有する突出壁とを備え、
前記突出壁の少なくとも一方は、住宅の西側または東側の外壁と一体である
請求項１から請求項３のいずれか一つに記載の住宅。
【請求項５】
前記庇は、前記ウッドデッキの床面の３分の２以上を覆い、
前記突出壁は、南側への突出長が相互に同一である
請求項４に記載の住宅。
【考案の詳細な説明】
【技術分野】
【０００１】
本考案は、住宅に関する。
【背景技術】
【０００２】
複数階建ての建物において、建物の長手方向と略直交する向きに階段を配置する狭小建物が提案されている（特許文献１）。都市部の住宅密集地に存在する狭くて細長い土地を、効率よく活用して住空間を確保できる。
【先行技術文献】
【特許文献】
【０００３】
【特許文献１】特開２０１９−１２００３０号公報
【考案の概要】
【考案が解決しようとする課題】
【０００４】
郊外においては、都市部に比べると土地の価格は大幅に安価である上に、相続等により土地を取得できる場合もある。そのため、都市部に比べると建物自体の建築コストが占める割合が大きくなる。
【０００５】
さらに郊外においては、経済的な余裕が比較的少ない一人親家庭、老夫婦および単身等の少人数世帯であっても、マンション、アパート等の集合住宅ではなく一戸建て住宅に居住したいというニーズが多い。
【０００６】
一つの側面では、少人数世帯向けの一戸建て住宅を安価に提供することを目的とする。
【課題を解決するための手段】
【０００７】
住宅は、床面が長方形であり、玄関ドアと、玄関ホールと、トイレと、シューズインクローゼットとを含み、壁芯面積が９．７平方メートル以上、１０平方メートル以下である規格化された玄関ユニットと、床面の寸法が前記玄関ユニットと同じ寸法である台所ユニットと、床面が長方形である浴室ユニットと、床面が長方形である１個以上の居室とが廊下を介さずに接続されており、全体の壁芯面積が前記玄関ユニットの壁芯面積の５倍から７倍の平屋建てである。
【考案の効果】
【０００８】
一つの側面では、少人数世帯向けの一戸建て住宅を安価に提供できる。
【図面の簡単な説明】
【０００９】
【図１】住宅の正面図である。
【図２】住宅の背面図である。
【図３】住宅の左側面図である。
【図４】住宅の右側面図である。
【図５】住宅の外観参考図である。
【図６】住宅の間取図である。
【図７】実施の形態２の住宅の間取図である。
【図８】実施の形態３の住宅の間取図である。
【図９】実施の形態４の住宅の間取図である。
【図１０】実施の形態５の住宅の間取図である。
【図１１】実施の形態６の住宅の間取図である。
【図１２】実施の形態６の変形例の住宅の間取図である。
【図１３】玄関ユニットの変形例を説明する説明図である。
【考案を実施するための形態】
【００１０】
［実施の形態１］
図１は、住宅１０の正面図である。図２は、住宅１０の背面図である。図３は、住宅１０の左側面図である。図４は、住宅１０の右側面図である。図１は南側から、図２は北側から、図３は西側から、図４は東側からそれぞれ住宅１０を見た状態を示す。図５は、住宅１０の外観参考図である。図５は、後述するデッキ柵１７および玄関ドア２１の形状が図１の正面図とは異なる変形例を示す。
【００１１】
住宅１０は、平面視で略長方形の平屋建てであり、敷地の南側が前面道路に面している。住宅１０の四方は、前側壁１１、後側壁１２、左側壁１３および右側壁１４の４枚の外壁により囲まれている。屋根１５は南北に勾配を有する切妻屋根であり、左側壁１３および右側壁１４は妻壁を有する。
【００１２】
前側壁１１には、横線で示すアクセントが設けられている。前側壁１１の一部が窪ませてあり、窪んだ場所に玄関ドア２１が設けられている。玄関ドア２１の南側に玄関ポーチ２４が配置されている。玄関ポーチ２４の端に、１段の階段２２が設けられている。前側壁１１の西側に掃出窓２３１が設けられている。掃出窓２３１の南側にウッドデッキ１６が設けられている。
【００１３】
なお、外壁に設けられる給排気口および換気口等については、図示を省略する。これらは、換気扇等の住宅設備および間取りに基づいて適宜配置される。
【００１４】
図６は、住宅１０の間取図である。方位記号で示すように、図６においては上が北を示す。住宅１０は、いわゆる１ＬＤＫ（Living Dining Kitchen）である。住宅１０は、実線で囲んだ玄関ユニット３１、破線で囲んだ浴室ユニット４１と、一点鎖線で囲んだ台所ユニット５１と、リビングダイニング６１と、洋室６２とを含む。
【００１５】
台所ユニット５１は、住宅１０の北西側に配置されている。浴室ユニット４１は住宅１０の北東側に配置されている。玄関ユニット３１は、住宅１０の南東側に配置されている。玄関ユニット３１と浴室ユニット４１との間に、洋室６２が配置されている。台所ユニット５１の南側、かつ洋室６２および玄関ユニット３１の西側に、リビングダイニング６１が配置されている。
【００１６】
台所ユニット５１と浴室ユニット４１との間にドアが設けられている。リビングダイニング６１には、玄関ユニット３１につながるドアと、洋室６２につながるドアとが設けられている。すなわち、玄関ユニット３１、台所ユニット５１、および洋室６２は、それぞれリビングダイニング６１に直接接続されている。なお、リビングダイニング６１および洋室６２は、居室の例示である。
【００１７】
リビングダイニング６１の南側に前述のウッドデッキ１６が配置されている。ウッドデッキ１６の床面は、縦横比が約１：２の長方形である。具体的には、ウッドデッキ１６は奥行き約１８２０ミリメートル、幅約３６４０ミリメートルである。ウッドデッキ１６は、室内の床の高さよりもわずかに低い程度であり、４本のデッキ脚１８により支えられている。居住者は、掃出窓２３１を通ってウッドデッキ１６に出入りできる。
【００１８】
左側壁１３および右側壁１４は、前側壁１１よりも南側に突出する突出壁１９を備える。突出壁１９の突出長は、ウッドデッキ１６の奥行きの約半分、すなわち約９１０ミリメートルである。図３および図４に示すように、突出壁１９は左側壁１３および右側壁１４と一体であり、上部は屋根１５に連結している。図５に示すように、屋根１５の端は、ウッドデッキ１６の床面の約３分の２以上を覆う庇を形成する。
【００１９】
ウッドデッキ１６の縁に、デッキ柵１７が設けられている。デッキ柵１７は、左側壁１３に連続する突出壁１９の端部から南向きに延び、ウッドデッキ１６の南側の縁を通って東側の縁の半分までの場所に設けられている。すなわち、ウッドデッキ１６のうち、玄関ドア２１に近い部分にはデッキ柵１７が設けられていない。したがって屋内を通らずに、玄関ポーチ２４からウッドデッキ１６に直接入ることが可能である。
【００２０】
デッキ柵１７の形状は、幼児の有無等の家族構成、デザイン上の好み、および、前面道路の通行量等に基づいて、適宜決定できる。玄関ドア２１の形状は、住人の利き手およびデザイン上の好み当に基づいて適宜決定できる。前述のとおり、図５においてはデッキ柵１７および玄関ドア２１の形状が図１の正面図とは異なる変形例を示す。
【００２１】
突出壁１９および屋根１５に一部が覆われているため、ウッドデッキ１６は半室内的な空間になる。気候の良い時期であれば、掃出窓２３１を開け放つことにより、ウッドデッキ１６とリビングダイニング６１とを一体にして活用できる。
【００２２】
玄関ユニット３１は、前述の玄関ドア２１および玄関ポーチ２４の一部に加えて、シューズインクローゼット３２、トイレ３３および玄関ホール３４を含む。シューズインクローゼット３２およびトイレ３３には、それぞれ窓２３が設けられている。
【００２３】
玄関ユニット３１の床面は、縦横比が約４：３であり、長辺方向を東西に向けた長方形である。具体的には、玄関ユニット３１の壁芯寸法は、縦約２７３０ミリメートル、横約３６４０ミリメートルであり、いわゆる６畳間相当の広さである。玄関ポーチ２４の一部を含んだ玄関ユニット３１の壁芯面積は約９．９平方メートルである。なお、実際の建築物においては図面に対して数パーセントの誤差が発生する可能性が存在することは、技術常識である。
【００２４】
台所ユニット５１の床面は、玄関ユニット３１の床面とほぼ同一寸法であり、長辺方向を東西に向けて配置されている。台所ユニット５１は、システムキッチン５２、パントリー５３および床下収納庫５４を含む。システムキッチン５２は、隣接するリビングダイニング６１に居る人と会話をしながら作業を行なえる対面型であり、台所ユニット５１の南側の部分に配置されている。システムキッチン５２の東側は、台所ユニット５１とリビングダイニング６１との間の通路になっている。台所ユニット５１の北面および西面には、窓２３が設けられている。
【００２５】
浴室ユニット４１の床面は、縦横比が約１：２であり、長辺方向を東西に向けた長方形である。浴室ユニット４１の長辺と、玄関ユニット３１の長辺とはほぼ同一長さである。具体的には、浴室ユニット４１の壁芯寸法は、縦約１８２０ミリメートル、横約３６４０ミリメートルである。浴室ユニット４１は、長さ方向に２分割して西側に洗面所を、東側に浴室４２をそれぞれ有する。
【００２６】
リビングダイニング６１の床面は、縦横比が約２：３であり、長辺方向を南北に向けた長方形である。リビングダイニング６１の短辺と、玄関ユニット３１および台所ユニット５１の長辺とは、ほぼ同一長さである。具体的には、リビングダイニング６１の壁芯寸法は、縦約５４６０ミリメートル、横約３６４０ミリメートルである。
【００２７】
リビングダイニング６１の北西側の隅に、スタディカウンター６７が設けられている。スタディカウンター６７は、たとえば学習机または書斎机の代わりに使用できる。リビングダイニング６１には、前述の掃出窓２３１に加えて西向きに２個の窓２３が設けられている。
【００２８】
洋室６２の床面は玄関ユニット３１の床面とほぼ同一寸法である。洋室６２には、２個の窓２３が設けられている。洋室６２と浴室ユニット４１との間に、クローゼットおよび棚等の収納スペースが設けられている。収納スペースの縦横比は約１：４である。具体的には、縦約９１０ミリメートル、横約３６４０ミリメートルである。
【００２９】
玄関ユニット３１、浴室ユニット４１、台所ユニット５１、リビングダイニング６１および洋室６２は、廊下を介さずに接続されている。なお、リビングダイニング６１および洋室６２は、居室の例示である。
【００３０】
なお、図６に示す間取図は例示である。たとえば、玄関ホール３４と洋室６２との間の壁にドアが設けられていてもよい。ドアの代わりに引き戸が使用されてもよい。洋室６２が和室であってもよい。リビングダイニング６１の代わりに、洋室６２と同程度の寸法の居室が２つ配置されていてもよい。パントリー５３および床下収納庫５４を設けなくてもよい。
【００３１】
本実施の形態によると、屋根１５の寸法が東西に約８．２メートル、南北に約１０．６メートルである平屋住宅を提供できる。住宅１０の壁芯面積は約５８平方メートルであり、玄関ユニット３１の壁芯面積の約５．８倍である。住宅１０の壁内面積は約５６平方メートル、すなわち約１７坪である。
【００３２】
東西に約９メートル、南北に約１２メートルの長方形であり、南側に前面道路を有する土地があれば、隣接する敷地との間の距離を十分に確保して実施の形態の住宅１０を建設できる。平屋であるため、２階建て、３階建てに比べて低コストかつ短工期で住宅１０を建設できる。シンプルな切妻屋根であるため、雨漏り等のトラブルが発生しにくい住宅１０を実現できる。
【００３３】
本実施の形態によると、屋内を通らずに玄関ポーチ２４からウッドデッキ１６に直接入れるため、ウッドデッキ１６を縁側のような半公共的な場所に利用できる。
【００３４】
浴室ユニット４１および台所ユニット５１の設計を様々な設計プランで共通に利用することにより、短い期間で注文住宅の設計および施工を行なえる。そのため、設計および施工のコストを低減できる。さらに住宅設備機器および建材を共通化することにより、材料コストを低減できる。
【００３５】
なお、玄関ドア２１は前面道路の向きに合わせて配置する必要があるため、玄関ユニット３１については、あらかじめ用意された複数の設計から適切なものが選択される。以後の実施の形態で、種々の設計プラン例を説明する。
【００３６】
［実施の形態２］
本実施の形態は、ウッドデッキ１６の両側に突出壁１９を備える住宅１０に関する。実施の形態１と共通する部分については、説明を省略する。
【００３７】
図７は、実施の形態２の住宅１０の間取図である。本実施の形態の住宅１０は、玄関ポーチ２４のリビングダイニング６１側の壁に連続する３枚目の突出壁１９を備える。したがって、ウッドデッキ１６の両側に突出壁１９が設けられている。
【００３８】
デッキ柵１７は、一方の突出壁１９の端部と、他方の突出壁１９の端部とを繋ぐように設けられている。
【００３９】
本実施の形態によると、ウッドデッキ１６の両側に突出壁１９が設けられているため、さらに屋内に近い環境のウッドデッキ１６を実現できる。玄関ポーチ２４からウッドデッキ１６が見えにくいため、玄関で来客に応対している最中であってもウッドデッキ１６およびリビングダイニング６１のプライバシーが守られる住宅１０を提供できる。さらに、玄関ポーチ２４からリビングダイニング６１に直接入れないため、防犯面で安心感のある住宅１０を提供できる。
【００４０】
［実施の形態３］
本実施の形態は、北側に玄関ドア２１を備える住宅１０に関する。実施の形態１と共通する部分については、説明を省略する。
【００４１】
図８は、実施の形態３の住宅１０の間取図である。本実施の形態の住宅１０の敷地は、北側が前面道路に面している。
【００４２】
本実施の形態においては、北側から順に玄関ユニット３１、浴室ユニット４１および和室６３が配置されている。和室６３と浴室ユニット４１との間に、押し入れおよび棚等の収納スペースが設けられている。浴室ユニット４１は、窓２３および出入口の配置を除いて実施の形態１から３と同一の構成である。なお、和室６３は居室の例示である。
【００４３】
玄関ユニット３１は、実施の形態１の玄関ユニット３１とほぼ南北に対称の形状であり、北側に玄関ドア２１、玄関ポーチ２４および階段２２を備える。玄関ホール３４は引き戸を介して台所ユニット５１に連結している。リビングダイニング６１には、洗面所４３につながる引き戸と、和室６３につながる引き戸とが設けられている。
【００４４】
リビングダイニング６１と和室６３との南側に、ウッドデッキ１６が配置されている。リビングダイニング６１にも、和室６３にも、掃出窓２３１が設けられている。ウッドデッキ１６の両側に、左側壁１３および右側壁１４にそれぞれ連続する突出壁１９が配置されている。
【００４５】
本実施の形態によると、前面道路が北側に存在する土地に適した住宅１０を提供できる。気候の良い時期であれば、掃出窓２３１を開け放つことにより、リビングダイニング６１および和室６３の一方または両方と、ウッドデッキ１６とを一体にして活用できる。
【００４６】
［実施の形態４］
本実施の形態は、東側に玄関ドア２１を備える住宅１０に関する。実施の形態３と共通する部分については、説明を省略する。
【００４７】
図９は、実施の形態４の住宅１０の間取図である。本実施の形態の住宅１０の敷地は、東側が前面道路に面している。
【００４８】
本実施の形態の玄関ユニット３１は、東側に玄関ドア２１、玄関ポーチ２４および階段２２を備える。玄関ドア２１は、玄関ユニット３１の短辺側に設けられており、玄関ホール３４はほぼ正方形であるが、玄関ユニット３１全体の寸法は実施の形態１から実施の形態３と同一である。すなわち、玄関ユニット３１の外寸および構成要素は規格化されている。
【００４９】
本実施の形態においては、スタディカウンター６７が実施の形態３よりも短く、左側壁１３に設けた窓２３の数も少ない。スタディカウンター６７のサイズは、家族構成等に応じて適宜決定できる。窓２３の配置は、隣接する土地の状態等により適宜決定できる。スタディカウンター６７の寸法および窓２３の配置は、図８と同様であってもよい。
【００５０】
本実施の形態によると、玄関ユニット３１を変更するだけで、実施の形態３の住宅１０の設計を前面道路が東側に存在する敷地向けの住宅１０の設計に変更できる。
【００５１】
［実施の形態５］
本実施の形態は、２ＬＤＫの住宅１０に関する。実施の形態１と共通する部分については、説明を省略する。
【００５２】
図１０は、実施の形態５の住宅１０の間取図である。敷地の南側が前面道路に面しており、玄関ユニット３１は南側に玄関ドア２１を有する。本実施の形態の玄関ユニット３１は、実施の形態１の玄関ユニット３１と東西にほぼ対称な形状である。
【００５３】
玄関ユニット３１の東側にリビングダイニング６１が配置されている。リビングダイニング６１の北側に台所ユニット５１および浴室ユニット４１が順に配置されている。玄関ユニット３１の北側に和室６３および洋室６２が順に配置されている。
【００５４】
リビングダイニング６１には、玄関ユニット３１につながるドアが設けられている。リビングダイニング６１と台所ユニット５１との境界部には、和室６３につながる引き戸が設けられている。台所ユニット５１には、洋室６２につながるドアと、浴室ユニット４１につながる引き戸とが設けられている。
【００５５】
洋室６２および和室６３の床面は、玄関ユニット３１の床面とほぼ同一寸法である。洋室６２には、２個の窓２３が設けられている。和室６３には１個の窓２３が設けられている。洋室６２と和室６３との間に、クローゼットおよび押し入れ等の収納スペースが設けられている。収納スペースの縦横比は約１：４である。具体的には、縦約９１０ミリメートル、横約３６４０ミリメートルである。
【００５６】
リビングダイニング６１の床面は、縦横比が約５：３の長方形である。リビングダイニング６１の短辺と、玄関ユニット３１および台所ユニット５１の長辺とは、ほぼ同一長さである。具体的には、リビングダイニング６１の壁芯寸法は、縦約４５５０ミリメートル、横約３６４０ミリメートルである。
【００５７】
リビングダイニング６１の南側にウッドデッキ１６が配置されている。ウッドデッキ１６の床面は、縦横比が約１：２の長方形である。具体的には、ウッドデッキ１６は奥行き約１８２０ミリメートル、幅約３６４０ミリメートルである。
【００５８】
デッキ柵１７は、右側壁１４に連続する突出壁１９の端部から南向きに延び、ウッドデッキ１６の南側の縁を通って西側の縁の半分までの場所に設けられている。すなわち、ウッドデッキ１６のうち、玄関ドア２１に近い部分にはデッキ柵１７が設けられていない。したがって、玄関を通らずにウッドデッキ１６に直接上がることが可能である。
【００５９】
本実施の形態によると、屋根１５の寸法が東西に約８．２メートル、南北に約１１．５メートルである平屋住宅を提供できる。住宅１０の壁芯面積は約６４．６平方メートルであり、玄関ユニット３１の壁芯面積の約６．５倍である。住宅１０の壁内面積は約６２平方メートル、すなわち約１９坪である。
【００６０】
［実施の形態６］
本実施の形態は、屋根１５付きの車庫６８を備える２ＬＤＫの住宅１０に関する。実施の形態１と共通する部分については、説明を省略する。
【００６１】
図１１は、実施の形態６の住宅１０の間取図である。本実施の形態の住宅１０においては、図６を使用して説明した実施の形態１と同様に、北東側に浴室ユニット４１が配置されている。玄関ユニット３１は、収納スペースを挟んで浴室ユニット４１の南側に配置されている。玄関ユニット３１の南側は車庫６８になっている。右側壁１４の一部に、開口部である車庫６８への出入口６９が設けられている。出入口６９は、車両から出た排ガスを排出する換気口の機能も果たす。
【００６２】
玄関ユニット３１と車庫６８との西側に、リビングダイニング６１が配置されている。リビングダイニング６１の北側に台所ユニット５１が、リビングダイニング６１の西側に洋室６２および和室６３が配置されている。リビングダイニング６１には、玄関ユニット３１につながる引き戸と、洋室６２につながるドアと、和室６３につながる引き戸が設けられている。
【００６３】
リビングダイニング６１と和室６３との南側に、ウッドデッキ１６が配置されている。リビングダイニング６１にも、和室６３にも、掃出窓２３１が設けられている。ウッドデッキ１６の両側に突出壁１９が設けられている。一方の突出壁１９は、左側壁１３に連続している。他方の突出壁１９は、玄関ポーチ２４のリビングダイニング６１側に配置された中間壁２５に連続している。デッキ柵１７は、一方の突出壁１９の端部と、他方の突出壁１９の端部とを繋ぐように設けられている。
【００６４】
洋室６２および和室６３には、それぞれ窓２３が設けられている。洋室６２の北側に、クローゼット等の収納スペースが設けられている。洋室６２と和室６３との間にも、クローゼットおよび押し入れ等の収納スペースが設けられている。
【００６５】
洋室６２の床面は、玄関ユニット３１の床面とほぼ同一寸法である。洋室６２の長辺と、玄関ユニット３１の短辺とが平行に配置されている。和室６３の縦横比は約１：１である。具体的には、和室６３は一辺が約２７３０ミリメートルの正方形である洋室６２の北側および南側に配置された収納スペースの縦横比は約１：３である。具体的には、縦約９１０ミリメートル、横約２７３０ミリメートルである。
【００６６】
図示を省略するが、屋根１５は南北に勾配を有する切妻屋根であり、左側壁１３および右側壁１４は妻壁を有する。屋根１５は、ウッドデッキ１６の一部および車庫６８の一部を覆う。
【００６７】
本実施の形態によると、屋根１５の寸法が東西に約１１メートル、南北に約１０メートルである平屋住宅を提供できる。車庫６８を除いた住宅１０の壁芯面積は約７０平方メートルであり、玄関ユニット３１の壁芯面積の約７倍である。
【００６８】
本実施の形態によると、雨の日でも傘を使わずに車に乗り降りできる屋根付きの車庫６８を有する住宅１０を提供できる。
【００６９】
［変形例］
図１２は、実施の形態６の変形例の住宅１０の間取図である。本変形例の住宅１０は、洋室６２および和室６３が存在しない。屋根１５の寸法は、実施の形態１と同様に東西に約８．２メートル、南北に約１０．６メートルである。本変形例によると、図６を使用して説明した実施の形態１と同様の土地に建設可能である、屋根付きの車庫６８を備える住宅１０を提供できる。
【００７０】
実施の形態１から実施の形態５の住宅１０についても、本実施の形態と同様に追加の居室または屋根付きの車庫６８を設ける設計変更が可能である。規格化された玄関ユニット３１と、共通の浴室ユニット４１および台所ユニット５１とを活用しながら、敷地の広さおよび施主のニーズに応じた住宅１０を設計し、提供できる。
【００７１】
［実施の形態７］
本実施の形態は、規格化された玄関ユニット３１のバリエーションに関する。実施の形態１と共通する部分については、説明を省略する。
【００７２】
図１３は、玄関ユニット３１の変形例を説明する説明図である。図１３Ａは、北側に玄関ドア２１を配置した玄関ユニット３１を示す。図８を使用して説明した実施の形態４の玄関ユニット３１との相違は、玄関ユニット３１の短辺側に玄関ドア２１が配置されていることである。
【００７３】
図１３Ｂは、南側に玄関ドア２１を配置した玄関ユニット３１を示す。図６を使用して説明した実施の形態１の玄関ユニット３１との相違は、玄関ユニット３１の短辺側に玄関ドア２１が配置されていることである。
【００７４】
図１３Ａ、図１３Ｂとも、図９を使用して説明した実施の形態５の玄関ユニット３１と同様に、玄関ホール３４はほぼ正方形である。玄関ユニット３１全体の寸法は実施の形態１と同一である。
【００７５】
以上に説明したように、玄関ドア２１の配置が異なる複数の玄関ユニット３１から、前面道路の向きおよび敷地の形状に応じた玄関ユニット３１を適宜選択することで、適切な住宅１０を設計できる。
【００７６】
各実施例で記載されている技術的特徴（構成要件）はお互いに組合せ可能であり、組み合わせすることにより、新しい技術的特徴を形成することができる。
今回開示された実施の形態はすべての点で例示であって、制限的なものでは無いと考えられるべきである。本考案の範囲は、上記した意味では無く、実用新案登録請求の範囲によって示され、実用新案登録請求の範囲と均等の意味および範囲内でのすべての変更が含まれることが意図される。
【符号の説明】
【００７７】
１０    住宅
１１    前側壁
１２    後側壁
１３    左側壁
１４    右側壁
１５    屋根
１６    ウッドデッキ
１７    デッキ柵
１８    デッキ脚
１９    突出壁
２１    玄関ドア
２２    階段
２３    窓
２３１  掃出窓
２４    玄関ポーチ
２５    中間壁
３１    玄関ユニット
３２    シューズインクローゼット
３３    トイレ
３４    玄関ホール
４１    浴室ユニット
４２    浴室
４３    洗面所
５１    台所ユニット
５２    システムキッチン
５３    パントリー
５４    床下収納庫
６１    リビングダイニング（居室）
６２    洋室（居室）
６３    和室（居室）
６７    スタディカウンター
６８    車庫
６９    出入口
【図１】
0003228639.tif 000003
【図２】
0003228639.tif 000004
【図３】
0003228639.tif 000005
【図４】
0003228639.tif 000006
【図５】
0003228639.tif 000007
【図６】
0003228639.tif 000008
【図７】
0003228639.tif 000009
【図８】
0003228639.tif 000010
【図９】
0003228639.tif 000011
【図１０】
0003228639.tif 000012
【図１１】
0003228639.tif 000013
【図１２】
0003228639.tif 000014
【図１３】
0003228639.tif 000015